(57)【要約】【課題】放電灯の点灯累積時間の初期化が簡単に行える照明装置の初期化装置及び方法を提供する。【解決手段】２つの熱陰極を持つ放電灯を装着可能なソケット部と、ソケット部を介して放電灯へ高周波出力を供給する放電灯点灯手段と、放電灯への供給電力を制御する制御手段と、制御手段の動作状態を記憶する記憶手段とを器具本体に有する照明装置の前記ソケット部に、予め定められた第一のインピーダンス素子と第二のインピーダンス素子を備え、第一のインピーダンス素子及び第二のインピーダンス素子は、放電灯の熱陰極と電気的に等価な接続となるように配置された初期化装置を接続する。【選択図】図１
2008159434.tif 000002
【特許請求の範囲】
【請求項１】
２つの熱陰極を持つ放電灯を装着可能なソケット部と、ソケット部を介して放電灯へ高周波出力を供給する放電灯点灯手段と、放電灯への供給電力を制御する制御手段と、制御手段の動作状態を記憶する記憶手段とを器具本体に有する照明装置の前記ソケット部に接続可能であり、予め定められた第一のインピーダンス素子と第二のインピーダンス素子を備えることを特徴とする照明装置の初期化装置。
【請求項２】
前記第一のインピーダンス素子及び第二のインピーダンス素子は、前記放電灯の熱陰極と電気的に等価な接続となるように配置されたことを特徴とする請求項１記載の照明装置の初期化装置。
【請求項３】
前記記憶手段は、放電灯の点灯累積時間を記憶する手段であり、前記制御手段は、放電灯の寿命末期状態を検出する検出手段と、該検出手段が放電灯の寿命末期状態を検出すると記憶手段に記憶された点灯累積時間を初期化するリセット手段とを備え、放電灯の点灯累積時間をもとに経時変化により減少する放電灯の光束を補正するように放電灯への供給電力を制御する手段であることを特徴とする請求項１または２記載の照明装置の初期化装置。
【請求項４】
前記初期化装置は放電灯のフィラメントにエミッタを塗布していない放電灯であることを特徴とする請求項１〜３のいずれかに記載の照明装置の初期化装置。
【請求項５】
２つの熱陰極を持つ放電灯を装着可能なソケット部を備え、放電灯の点灯累積時間をもとに経時変化により減少する放電灯の光束を補正するように放電灯への供給電力を制御する照明装置の前記ソケット部に初期化装置を接続することにより前記照明装置の点灯累積時間を初期化する方法。
【発明の詳細な説明】
【技術分野】
【０００１】
本発明は、初期照度補正機能を有する照明装置の点灯累積時間の初期化装置及び方法に関するものである。
【背景技術】
【０００２】
一般に照明用に用いられる放電灯の光束は点灯累積時間に応じて減少する。すなわち放電灯はその点灯累積時間に応じて光出力が低下するので、このような光出力の低下を抑制するため、例えば特許文献１に示されるように、放電灯の点灯累積時間を計時する計時手段と、放電灯の点灯累積時間と補正用の調光比とを対応付けた補正用テーブルを記憶させたメモリとを備え、計時手段により計時された点灯累積時間をもとにメモリに記憶された補正用テーブルから補正用の調光比を読み出して放電灯を調光することで、放電灯の光出力を経時変化に関わらず略一定に保つようにした照明装置が従来より提供されている。
【０００３】
このような初期照度補正機能を有する照明装置では、放電灯の交換時に計時手段が計時した点灯累積時間を初期化する必要があり、点灯累積時間の初期化方法として、例えば照明装置本体に設けたリセットスイッチを操作することで点灯累積時間を初期化したり、照明装置本体に装着されている放電灯の寿命末期を検出して点灯累積時間を初期化したり、無負荷状態において電源スイッチのオン／オフを所定回数だけ繰り返すと点灯累積時間を初期化するといった方法が従来より提案されていた（特許文献１および特許文献２参照）。
【特許文献１】特開２００１−１５２７６号公報（段落番号００２７、００４９〜００５２、図１３）
【特許文献２】特開２００４−２４７２２５号公報（段落番号０００４、００２７、００３７、図１、図７）
【発明の開示】
【発明が解決しようとする課題】
【０００４】
上述した従来の照明装置による点灯累積時間のリセット手段では、それぞれ以下に述べるような問題点が存在する。まず、照明装置本体に設けたリセットスイッチで点灯累積時間を初期化する照明装置では、照明装置本体や反射板などにリセットスイッチを取り付けるための取付スペースを確保する必要があり、またランプ交換時にスイッチ操作を容易に行えるように外側から操作可能な場所にリセットスイッチを取り付ける必要があるので、反射板にリセットスイッチを操作するための操作孔を形成しなければならず、初期照度補正機能を持たない一般の照明装置と照明装置本体や反射板を共用できないために、コストアップを招いてしまうという問題があった。またダウンライトのように開口部が限られている照明装置では、反射板の奥の方にリセットスイッチを取り付けるか、反射板以外の場所に開口を設けてリセットスイッチを設置しなければならず、操作性や施工性が悪いという課題があった。
【０００５】
また、照明装置本体に装着された放電灯の寿命末期を検出して点灯累積時間を初期化する照明装置では、交換期間が予め決められており、未だ寿命に至っていない放電灯を定期交換で交換する場合には、点灯累積時間のリセットができないため、別途のリセット手段が必要になるという課題があった。ここで、別途必要となるリセット手段として、無負荷状態において電源スイッチのオン／オフの繰り返し回数を検出することで点灯累積時間を初期化する従来例では、複数台の照明装置で放電灯の定期交換を行う場合、全ての放電灯を一旦取り外した後に無負荷状態で電源スイッチを所定回数オン／オフさせる作業が必要になり、一旦放電灯が消灯してしまうため、２４時間稼動の商業施設・医院などでは不都合が生じるという問題に加え、交換の際に手間がかかるという問題があった。
【０００６】
また、一般的なランプ交換作業では古いランプを取り外すと同時に新しいランプに入れ替えるのであるが、上述のリセット方法では、対象となる照明装置の放電灯を全て取り外した後に電源スイッチのオン／オフ操作を所定回数行ってから、全ての照明装置に新しい放電灯を取り付ける作業を行わねばならず、作業効率が悪いという問題があった。特に放電灯を交換する際に脚立などに登って高所で作業する必要がある場合は、古い放電灯の取り外しと同時に新しい放電灯を取り付ける場合に比べ、脚立を照明装置の設置場所まで移動させる作業や脚立の登り降りの作業が増え、多大な労力が必要になるという問題があった。
【０００７】
本発明はこのような問題点に鑑みてなされたものであり、その目的とするところは、放電灯の点灯累積時間の初期化が簡単に行える照明装置の初期化装置及び方法を提供することにある。
【課題を解決するための手段】
【０００８】
本発明の初期化装置は、上記の課題を解決するために、２つの熱陰極を持つ放電灯を装着可能なソケット部と、ソケット部を介して放電灯へ高周波出力を供給する放電灯点灯手段と、放電灯への供給電力を制御する制御手段と、制御手段の動作状態を記憶する記憶手段とを器具本体に有する照明装置の前記ソケット部に接続可能であり、予め定められた第一のインピーダンス素子と第二のインピーダンス素子を備えることを特徴とする。ここで、第一のインピーダンス素子及び第二のインピーダンス素子は、放電灯の熱陰極と電気的に等価な接続となるように配置される。
【発明の効果】
【０００９】
本発明によれば、照明装置の設置台数が多く、放電灯を容易に消灯できない２４時間点灯の商業施設・医院などで初期照度補正機能を有する照明装置のランプ交換をする際に、点灯累積時間の初期化を照明装置個別で行なうことが可能になり、ランプ交換効率を向上させるだけでなく、全体の放電灯が一旦消灯する不具合を防止できる。
【発明を実施するための最良の形態】
【００１０】
（実施形態１）
図１は本発明の初期化装置７の概略構成を示す斜視図であり、図２は本発明の初期化装置７により点灯累積時間をリセットされる照明装置１の構成を示すブロック回路図である。
【００１１】
図１の初期化装置７の構造について説明する。この初期化装置７は、インピーダンス素子として２つの抵抗ｒ１を備え、それぞれの抵抗ｒ１は絶縁されており、抵抗ｒ１には放電灯と同じ形状の端子７１が接続されており、端子間寸法は放電灯の端子間寸法と同一で、形状は放電灯と略同形状となっている。抵抗値として本実施形態ではＦＨＦ３２の陰極擬似負荷抵抗値である６Ωとする。放電灯のフィラメントにエミッタを塗布していないダミーの放電灯を用いても良い。
【００１２】
このような構造にすることにより、放電灯と略同じ形状であるため、図３、図４に示すような直管形放電灯を適合ランプとした照明器具への装着は容易であり、個別に点灯累積時間のリセットをすることができる。
【００１３】
図２の照明装置１の構成について説明する。この照明装置１は、点灯回路部２、制御部３、光源４、無負荷検出部５、エミレス検出部６により構成される。制御部３はマイコン３１と不揮発性メモリ３２を有している。ここでは、点灯回路部２はインバータ回路であり、光源４は放電灯である。照明装置１に電源Ｖが投入されると、点灯回路部２は光源４を点灯するよう電力を供給する。このとき、制御部３は、点灯回路部２が出力する供給電力を制御するような調光信号を点灯回路部２へ出力し、点灯回路部２はこれに従った供給電力で光源４を点灯させることにより、光源４は調光点灯する。よって、制御部３が光源４の光出力を制御することが可能となる。また、制御部３は、この調光信号により光源４を点灯状態にしている時間（点灯時間）を計時する。制御部３は、計時した時間に応じて、調光信号を変化させ、光源４の光出力を変化させる。電源Ｖからの電源供給が一度切れた後に再投入されても、前回まで計時した点灯時間から計時を再開できるように、制御部３は、随時点灯時間を記憶しておくことができる。
【００１４】
無負荷検出部５は、光源４が無負荷状態になったことを検出して、検出信号を出力する。制御部３は、無負荷検出部５からの検出信号を常時監視しており、光源４が無負荷状態となり、無負荷検出部５の検出信号が変化すると、直ちに点灯回路部２から光源４への電力供給を停止するような調光信号を出力する。
【００１５】
以上の動作を実現するために、制御部３は、マイクロコンピュータ（以下、マイコン）３１と不揮発性メモリ３２を有しており、点灯時間の計時や無負荷検出信号の監視は、マイコン３１で行えば簡単に実現でき、点灯時間はマイコン３１から不揮発性メモリ３２へ随時記憶させるようにしておけば、電源再投入時にマイコン３１が不揮発性メモリ３２から点灯時間を読み出して、その値から点灯時間の計時を再開すればよい。
【００１６】
この照明装置では、エミレス検出による照明装置単独での点灯時間のリセット手段を有している。マイコン３１は、エミレス検出部６の出力を常時監視する。エミレス検出部６の出力信号が変化し、マイコン３１が光源４がエミレス（熱電子放出不良）であると検出すると、マイコン３１は、直ちに点灯回路部２への調光信号を変化させ、点灯回路部２から光源４への電力供給を止めるよう動作する。同時に、計時していた点灯時間を初期値へリセットし、これを不揮発性メモリ３２へ書き込む。その後、マイコン３１は、点灯時間の計時は行わない。
【００１７】
使用者は、光源４のエミレスにより不点になったことを受けて、光源４の交換を行う。この時、光源４は外されるので、マイコン３１は、さらに無負荷状態を検出することになる。この時、エミレス状態はなくなっている。ただ、点灯時間の計時は止まったままであるので、マイコン３１は何もしない。当然、無負荷状態での電源投入による無負荷検出でもないので、不揮発性メモリ３２への書き込みも行わない。
【００１８】
そして、新しい光源４を装着すれば、無負荷検出部５の出力信号が変化し、マイコン３１が無負荷状態でない（通常点灯状態）と検出するので、不揮発性メモリ３２からのデータ読み出しの後、無負荷検出状態およびエミレス検出状態の監視と点灯時間の計時を再開する。しかし、点灯時間は先ほどのエミレス検出時にリセットされているので、初期値からの計時となる。つまり、照明装置単独での光源の交換時に、自動で点灯時間のリセットを行ったことになる。
【００１９】
エミレス検出部６の検出手段は、どのようなものであってもよく、制御部３としてエミレス検出部６からの出力を監視できるものであればよい。エミレス検出信号についても、アナログ信号であってもディジタル信号であっても、制御部３でエミレス状態であるか否かを判断できるものであればよい。
【００２０】
特許文献２（特開２００４−２４７２２５号公報）では、点灯累積時間をリセットするためには、放電灯が寿命末期状態になることが必要であるが、本実施形態では放電灯が寿命末期状態である必要はなく、初期化装置７を接続することにより点灯累積時間のリセットをする点が異なる。
【００２１】
図３は本発明を適用される照明器具の外観を示している。図中、２０は器具本体、２１は反射板、２２，２３はソケット、２４はばね、２５はランプピン（端子）接触穴である。器具本体２０の内部には、図２の照明装置１を内蔵しており、ソケット２２，２３の間には図１の初期化装置７を接続可能である。
【００２２】
図３では、放電灯を取り外した状態を図示している。このように、古い放電灯を取り外して、代わりに図１の初期化装置７を接続することで図２の照明装置１の点灯累積時間をリセットすることができる。その後、新しい放電灯を接続することで、初期照度補正機能を初期状態から利用することができる。
【００２３】
図４は本発明を適用される他の照明器具の外観を示している。図中、Ｒは反射板、Ｓ１，Ｓ２はランプＬａ１のソケット、Ｓ３，Ｓ４はランプＬａ２のソケットである。ここでは、２灯の直管形放電灯を接続可能な照明器具を例示しているが、これに限定されるものではなく、３灯、４灯、５灯のように、任意の複数灯を点灯可能な照明器具にも本発明を適用できる。
【００２４】
本実施形態では、初期化装置７の形状は直管系の放電灯と略同一の形状としているが、ツイン形のような片口金の放電灯対応の初期化装置とするには、図５に示すように口金部分７２の形状がツイン形放電灯と略同一であればよく、破線で示すガラス管の部分７３まで寸法・形状を略同一とする必要はない。片口金の放電灯はツイン形に限らず、トリプル形、ダブル形でもよい。
【００２５】
本実施形態では点灯累積時間をリセットする目的で初期化装置を接続しているが、例えば段調光の切替や、調光・非調光の機能の切替など何らかの機能を設定され、放電灯の寿命末期を検出するとそのリセットをする放電灯点灯装置において、初期化装置を接続することにより、設定された機能をリセットすることも可能である。
【００２６】
（実施形態２）
本発明の実施形態２を図６に示す。実施形態１と異なる点は長手方向の長さを変更できる伸縮式とした点である。
【００２７】
筒体Ａは筒体Ｂより外径が小さく、それぞれの筒体には数箇所の穴７４があけられており、その穴７４を一致させて、図７に示すように固定棒７５にて位置を固定する。穴７４の位置を変更することにより長手方向の長さを変更でき、例えばＨｆ３２Ｗの放電灯とＨｆ１６Ｗの放電灯のように長さのみ異なる直管系の放電灯のいずれにも初期化装置として使用できる。
【００２８】
（実施形態３）
本発明の実施形態３を図８に示す。実施形態１，２と異なる点は端子７１の根元部分に端子可動溝７６があり、端子間寸法を可変とした点である。このようにすることにより端子間寸法の異なる異種のランプ、例えばＦＨＦ３２とＦＳＬ５４のいずれにも初期化装置として使用できる。
【００２９】
（実施形態４）
本発明の実施形態４を図９に示す。実施形態３と異なる点は筒体部分７７が自由に曲がる構造とした点である。このようにすることにより端子間寸法とそれぞれの端子間寸法の両方が異なる異種のランプ、例えばＦＨＦ３２とＦＨＰ４５のいずれにも初期化装置として使用できる。
【００３０】
（実施形態５）
本発明の実施形態を図１０に示す。実施形態１と異なる点は２つの抵抗ｒ１に加えて抵抗ｒ２が追加され、それぞれの抵抗ｒ１に接続されている点である。ｒ２の抵抗値としては１５００Ω程度とし、放電灯点灯時のインピーダンスよりも高い設定とする。このようにすることにより放電灯点灯装置のストレスを低減することができる。
【図面の簡単な説明】
【００３１】
【図１】本発明の実施形態１の初期化装置の構成を示す斜視図である。
【図２】本発明の初期化装置により初期化される照明装置の構成を示すブロック回路図である。
【図３】図２の照明装置を搭載した照明器具の外観を示す斜視図である。
【図４】図２の照明装置を搭載した別の照明器具の外観を示す斜視図である。
【図５】本発明の実施形態１の初期化装置の一変形例の外観を示す斜視図である。
【図６】本発明の実施形態２の初期化装置の斜視図である。
【図７】本発明の実施形態２の初期化装置の断面図である。
【図８】本発明の実施形態３の初期化装置の要部正面図である。
【図９】本発明の実施形態４の初期化装置の動作説明図である。
【図１０】本発明の実施形態５の初期化装置の構成を示す斜視図である。
【符号の説明】
【００３２】
ｒ１  抵抗
７    初期化装置
７１  端子
【図１】
2008159434.tif 000003
【図２】
2008159434.tif 000004
【図３】
2008159434.tif 000005
【図４】
2008159434.tif 000006
【図５】
2008159434.tif 000007
【図６】
2008159434.tif 000008
【図７】
2008159434.tif 000009
【図８】
2008159434.tif 000010
【図９】
2008159434.tif 000011
【図１０】
2008159434.tif 000012